(57)【要約】【課題】  コンパクトで安価な治具により止水弁からの漏洩水を止水できるようにする。【解決手段】  空気給排用ホース７を接続したリング形状の空気チューブ３の外周部にシール材４を、又、内側に下端開口部５ａに漏洩水ドレン抜き用ホース６を接続した柔軟な漏斗状部材５をそれぞれ取り付けて形成した配管止水治具２と、空気給排装置９を備えて配管止水装置１を構成する。止水弁下側の既設配管１０の内側に配した配管止水治具２の空気チューブ３を、配管外部の空気給排装置９より治具回収用孔１６に挿通させた空気給排用ホース７を経て供給される空気８により膨張させ、シール材４を既設配管１０の内周面に密着させて、止水弁からの漏洩水が既設配管１０の下側に接続する配管の配管溶接継手部に流下しないよう止水させる。溶接作業終了後は、空気チューブ３を収縮させた後、治具回収用孔１６より配管止水治具２を引き出して撤去する。【選択図】図１
2010007730.tif 000002
【特許請求の範囲】
【請求項１】
下端の開口部に漏洩水ドレン抜きホースを接続してなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにすることを特徴とする配管止水方法。
【請求項２】
膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する漏洩水ドレン抜きホースを接続し、上記チューブ部材の所要個所に、上記止水対象配管の管壁を通して配置した流体給排用ホースを接続して配管止水治具を形成し、更に、上記配管止水治具の流体給排用ホースに接続して上記チューブ部材への流体の充填と排出を行うための流体給排装置を備えた構成を有することを特徴とする配管止水装置。
【請求項３】
配管止水治具のチューブ部材の外周部に設けるシール材を、独立気泡型の柔軟な多孔質ゴムとした請求項２記載の配管止水装置。
【請求項４】
配管止水治具のチューブ部材の外周部に設けるシール材の外側面に、周方向の全周に亘る凸部を、軸心方向に所要間隔で複数配列して設けるようにした請求項２又は３記載の配管止水装置。
【発明の詳細な説明】
【技術分野】
【０００１】
本発明は、活管に取り付けられている止水弁の下方位置にて配管の交換工事を行う際に、上記止水弁からの漏洩水が配管溶接継手部に達しないよう止水するために用いる配管止水方法及び装置に関するものである。
【背景技術】
【０００２】
各種プラントにおける大口径配管等の配管の交換作業時に、交換した配管部分を溶接する場合、配管溶接継手部に水が存在すると、溶接不良が生じてしまい、健全な溶接を実施することが困難になる。
【０００３】
そのために、配管交換工事を行う場合、通常は、配管系統に関わる個所の運転を停止して該配管系統の全水抜きを行うようにするか、又は、配管交換工事個所の上流側に位置する止水弁にて漏洩水を阻止できるように該止水弁のメンテナンスを予め徹底的に行うことで、配管工事個所へ漏洩水が浸入する虞を阻止するようにしていた。
【０００４】
又、配管の補修、交換を行う場合に通水配管の途中位置で止水を行うための手法としては、配管の外表面に液体窒素等の冷却媒体を保持するジャケットを配管周囲に設け、配管の内部液体を局部的に凍結させてアイスプラグを形成し、該アイスプラグにより配管の内部液体の流動を止水させるようにした配管凍結工法が従来知られている。
【０００５】
更に、配管の管壁に設けた孔より、上記冷却媒体に接する伝熱棒や、冷却媒体を流通させることができるようにしてある冷媒導管を、配管内部に挿入して設けた構成とすることで、配管内部液体の配管中心部における凍結を促進して、配管凍結工法を大口径配管にも適用できるようにする手法も提案されてきている（たとえば、特許文献１、特許文献２参照）。
【０００６】
【特許文献１】特開平１０−７３１９６号公報
【特許文献２】特開平１０−２５９８９６号公報
【発明の開示】
【発明が解決しようとする課題】
【０００７】
ところが、配管交換工事を行う際に配管系統の全水抜きを行う手法は、たとえば、原子力発電所の冷却水の配管系統では、該配管系統の全水抜きを行うためには燃料が冷えるのを待つ必要がある等、配管系統によっては、全水抜きを行うために長い期間が必要となり、そのために作業時期及び作業工程に多大な拘束条件が課されるという問題が生じることがある。
【０００８】
又、配管交換工事個所の上流側に位置する止水弁のメンテナンスを徹底的に行うことで、該止水弁の漏洩水を防止する手法の場合、一般に使用されている止水弁では、多少の漏洩水が発生するのが普通であるため、止水弁にて完全な止水を行わせることができるようにするには、メンテナンス作業に多大な手間及び時間を要するという問題が生じてしまう。
【０００９】
したがって、上記配管系統の全水抜きを行う手法や、止水弁の徹底的なメンテナンスにより該止水弁の漏洩水を防止する手法では、条件によっては配管交換工事が計画通りに施工できなくなる虞が懸念される。
【００１０】
上記特許文献１、特許文献２に示された配管凍結工法は、配管の外周に冷却媒体のジャケットを取り付け、更に、液体窒素のような冷却媒体を供給、回収する機器が必要になるため、該配管凍結工法の実施に用いる装置構成が大掛かりになると共に、コストが嵩むという問題がある。
【００１１】
又、配管交換工事の対象となる配管が、原子力発電所の放射線管理区域内に設けられている配管である場合は、配管交換工事に使用した機器は、汚染されるため使い捨てにする必要があり、このことから、止水を行うために使用する装置構成をできるだけシンプルなものとすると共に、コストの削減化を図ることが望まれている。
【００１２】
更に、上記配管凍結工法は、止水すべき個所が止水弁に近い場合は、アイスプラグを形成すべく配管の内部液体を凍結させると、上記止水弁に悪影響を及ぼす虞が懸念されるために採用できない場合が生じてしまう。
【００１３】
しかも、低温脆性破壊の観点から、上記配管凍結工法は炭素鋼管には適用できないという問題もある。
【００１４】
そこで、本発明は、活管に取り付けられている止水弁の下方位置で配管の交換工事を行う場合に、上記止水弁からの漏洩水が配管溶接継手部に達する虞がないように止水でき、且つ上記止水弁からの漏洩水の止水に要する装置構成をコンパクトなものとすることができると共に、装置に要するコストを安価なものとすることができ、更には、溶接施工後に容易に回収することができて、取り付け及び回収を短時間で行うことができて配管の交換工事の工程にインパクトを与えることがなく、ＳＵＳ材の配管のみならず、炭素鋼管の止水にも適用することができるようにするために用いる配管止水方法及び装置を提供しようとするものである。
【課題を解決するための手段】
【００１５】
本発明は、上記課題を解決するために、請求項１に対応して、下端の開口部に漏洩水ドレン抜きホースを接続してなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにする配管止水方法とする。
【００１６】
又、請求項２に対応して、膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する漏洩水ドレン抜きホースを接続し、上記チューブ部材の所要個所に、上記止水対象配管の管壁を通して配置した流体給排用ホースを接続して配管止水治具を形成し、更に、上記配管止水治具の流体給排用ホースに接続して上記チューブ部材への流体の充填と排出を行うための流体給排装置を備えた構成を有する配管止水装置とする。
【００１７】
更に、上記構成において、配管止水治具のチューブ部材の外周部に設けるシール材を、独立気泡型の柔軟な多孔質ゴムとした構成とする。
【００１８】
更に又、上記各構成において、配管止水治具のチューブ部材の外周部に設けるシール材の外側面に、周方向の全周に亘る凸部を、軸心方向に所要間隔で複数配列して設けるようにした構成とする。
【発明の効果】
【００１９】
本発明によれば、以下のような優れた効果を発揮する。  
（１）下端の開口部に漏洩水ドレン抜きホースを接続してなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにする配管止水方法、及び、膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する漏洩水ドレン抜きホースを接続し、上記チューブ部材の所要個所に、上記止水対象配管の管壁を通して配置した流体給排用ホースを接続して配管止水治具を形成し、更に、上記配管止水治具の流体給排用ホースに接続して上記チューブ部材への流体の充填と排出を行うための流体給排装置を備えた構成を有する配管止水装置としてあるので、活管に取り付けられた止水弁の下方で配管の交換工事を行う場合に、上記止水弁の下側に接続された止水対象配管の内側に配置した配管止水治具のチューブ部材を膨張させて、該配管止水治具を上記止水対象配管の内側に装着することで、上記止水弁の漏洩水が止水対象配管と、その下側に接続する配管との配管溶接継手部に達する虞を未然に防止できるため、上記配管溶接継手部の健全な溶接を行わせることが可能となる。  
（２）上記止水対象配管に配管止水治具を装着するために該止水対象配管に対して行う加工は、治具回収用孔を穿設するのみでよいため、上記配管止水治具の装着に要する手間及び時間が嵩む虞を解消できる。更に、上記配管溶接継手部の溶接作業終了後は、上記チューブ部材に充填されている流体を排出させてから、上記止水対象配管の治具回収用孔より流体給排用ホースを引き出して、該流体給排用ホースに繋がるチューブ部材、シール材、漏斗状部材、漏洩水ドレン抜きホースを上記治具回収用孔より配管外部へ引き出す作業のみで、上記止水対象配管の内部より配管止水治具を容易に撤去することができる。したがって、上記配管止水治具の取り付け及び回収を短時間で行うことができて、配管交換工事の工程にインパクトを与える虞を解消できる。  
（３）上記止水対象配管に対する配管止水治具の装着は常温で行うことができるため、ＳＵＳ材の配管、炭素鋼管等、いかなる材質の配管の止水にも適用することができる。  
（４）配管止水治具をコンパクトな構成とすることができると共に、安価なものとすることができる。よって、上記配管止水治具を、原子力発電所における放射線管理区域で使用するための使い捨て用の配管止水治具とする場合に有利なものとすることができる。  
（５）配管止水治具のチューブ部材の外周部に設けるシール材を、独立気泡型の柔軟な多孔質ゴムとした構成とすることにより、止水対象配管の内側でチューブ部材を膨張させることで、上記チューブ部材の外周部と止水対象配管の内周面との間で径方向に圧縮される上記シール材の外側面を、上記止水対象配管の内周面の形状に容易に追従させて密着させることができる。よって、上記配管止水治具の外周側と止水対象配管の内周面との間の止水性を容易に高めることが可能となる。  
（６）配管止水治具のチューブ部材の外周部に設けるシール材の外側面に、周方向の全周に亘る凸部を、軸心方向に所要間隔で複数配列して設けるようにした構成とすることにより、止水対象配管の内側でチューブ部材を膨張させて、上記チューブ部材の外周部と止水対象配管の内周面との間で上記シール材を径方向に圧縮させることで、該シール材の外側面に設けてある複数の凸部の頂部を、上記止水対象配管の内周面にそれぞれ周方向に密着させることができる。これにより、上記シール材の外側面と止水対象配管の内周面との間に、軸心方向に所要寸法ずつずれた複数の水密シールを形成することができるようになるため、配管止水治具の外周側と止水対象配管の内周面との間の止水性をより確実なものとすることができる。
【発明を実施するための最良の形態】
【００２０】
以下、本発明を実施するための最良の形態を図面を参照して説明する。
【００２１】
図１（イ）（ロ）（ハ）及び図５は本発明の配管止水方法及び装置の実施の一形態を示すもので、以下のようにしてある。
【００２２】
すなわち、上記本発明の配管止水装置は、図１（イ）（ロ）（ハ）乃至図３に示す如く、膨張時に図１（イ）に二点鎖線で示す如き止水対象配管１０の内径に対応した外径寸法を有するリング形状となる柔軟な材質製のチューブ部材として、たとえば、ゴム製の空気チューブ３の外径側の表面に、柔軟な材質製のシール材４を全周に亘り水密に取り付けて一体物とする。更に、上記空気チューブ３内側に、柔軟な材質製の漏斗状部材５の外周部を水密に取り付けると共に、該漏斗状部材５の下端となる中央部に設けた開口部５ａに、柔軟な材質製の漏洩水ドレン抜きホース６の上端開口部を連通させて水密に取り付ける。
【００２３】
上記空気チューブ３の周方向の所要個所における上記漏斗状部材５よりも下方で且つ上記シール材４と干渉しない個所には、該空気チューブ３への流体としての空気８の供給と該空気チューブ３からの空気８の排出を行わせるための流体給排用ホースとしての空気給排用ホース７を取り付けて配管止水治具２を構成する。
【００２４】
更に、上記配管止水治具２の空気給排用ホース７に接続するための流体給排装置としての空気給排装置９を備えて、配管止水装置１を構成する。
【００２５】
詳述すると、上記シール材４は、たとえば、水を透過しない独立気泡型の多孔質ゴム製としてあり、且つ該シール材４の反空気チューブ３取付側となる外側面には、周方向の全周に亘って延びる断面形状波形の凸部４ａを、該シール材４の軸心方向に所要間隔で複数設けた構成としてある。これにより上記空気チューブ３を止水対象配管１０の内側で膨張させるときに、図２に示す如く、該膨張してリング形状となる空気チューブ３の外周部と、上記止水対象配管１０の内周面との間で、上記シール材４が径方向に圧縮されて、該シール材４における径方向に圧縮された部分の外側面に設けてある上記断面波形の各凸部４ａが、押し潰されるように弾性変形するようにしてあり、この押し潰されるように弾性変形した各凸部４ａの復元力により、該各凸部４ａの頂部が、上記止水対象配管１０の内周面にそれぞれ密着するようにしてある。したがって、上記空気チューブ３の膨張時には、上記止水対象配管１０の内周面に対し、該空気チューブ３の外周側に配置されているシール材４の各凸部４ａが、それぞれ、該止水対象配管１０の軸心方向に所要寸法ずつずれた位置で周方向の全周に亘り密着して水密シールが形成されるようになるため、該止水対象配管１０の内周面と、上記空気チューブ３の外周部に設けたシール材４の外側面との間からの水の漏れを確実に防止できるようにしてある。又、上記のように空気チューブ３の外周部に設けたシール材４を柔軟な材質製のものとしてあるため、上記止水対象配管１０の内周面に錆等の酸化皮膜による凹凸が形成されていても、該凹凸に追従させて上記シール材４を変形させるようにして密着させることで、止水対象配管１０の内周面と、上記空気チューブ３の外周部に設けたシール材４の外側面との間からの水の漏れを防止できるようにしてある。
【００２６】
更には、図３に示すように、上記止水対象配管１０が板巻管である場合は、その周方向の１個所に形成されている溶接部のビード１１が配管内周面より内側に所要寸法突出しているが、上記膨張させる空気チューブ３の外周部と、上記止水対象配管１０の溶接部のビード１１との間で上記柔軟な材質製としてあるシール材４が押し潰されるように変形させられることで、該シール材４の外側面を上記止水対象配管１０の溶接部のビード１１及び該ビード１１の両側の湾曲した表面形状に追従させて密着させて水密シールを形成することができるため、該止水対象配管１０に溶接部のビード１１が存在していても該ビード１１の両側の湾曲部分と上記シール材４との間を通して水が漏れる虞を未然に防止できるようにしてある。
【００２７】
上記漏斗状部材５は、柔軟な材質として、たとえば、ゴム製のシートにより形成してある。
【００２８】
上記漏洩水ドレン抜きホース６は、たとえば、ゴム製のホースとしてあり、後述するように、配管の交換工事によって新たに交換される配管１２の所要個所に設ける溶接検査用のプラグ孔１３を通して上記配管１２の外部に設けるドレン受け１４まで配置できるような長さ寸法に設定してある。
【００２９】
上記空気給排用ホース７は、たとえば、上記空気チューブ３を膨張させるための空気圧に耐え得るゴム（ウレタンを含む）製の耐圧ホースとしてあり、その先端部を、上記空気チューブ３の所定の個所に設けた空気給排ノズル３ａに一体に接続してある。なお、該空気給排用ホース７の先端部と空気チューブ３の空気給排ノズル３ａとの接続部は、図示しないワンタッチ継手等を介して着脱可能に取り付ける構成としてもよい。
【００３０】
更に、上記空気給排用ホース７は、図４で後述するように配管交換工事を行う際に止水弁１５の下方に残される止水対象配管としての既設配管１０の内側に上記配管止水治具２を配置した状態で、該既設配管１０の管壁に設ける治具回収用孔１６を通して配管外部に引き出して空気給排装置９に接続できる長さ寸法としてある。
【００３１】
上記空気給排装置９は、たとえば、図示しないコンプレッサーや、プラントに広く一般的に設けられている空気供給部より所要圧力で供給される空気８を、図示しないレギュレータで上記空気チューブ３の耐圧制限内の所定の圧力に調整した状態で上記空気給排用ホース７への供給を開始させるための空気供給バルブ９ａと、該空気給排用ホース７を通して空気チューブ３内へ供給する空気８の圧力をモニタするゲージ９ｂと、上記空気給排用ホース７を大気に連通させるように切り換えることで、上記空気チューブ３内の空気８を該空気給排用ホース７を通して大気中へ排気させるための排気バルブ９ｃとを備えた構成としてある。
【００３２】
これにより、上記空気給排装置９の空気供給バルブ９ａを開操作して空気給排用ホース７へ所定圧力の空気８を供給することで、該空気８を上記空気チューブ３に充填して該空気チューブ３を膨張させることができるようにしてある。一方、上記空気給排装置９の空気供給バルブ９ａを閉じた状態で、排気バルブ９ｃを開操作することにより、図１（ハ）に二点鎖線で示すように、上記空気チューブ３内に充填されていた空気８を、空気給排用ホース７、空気給排装置９の排気バルブ９ｃを通して大気中へ排気させることで、上記空気チューブ３を収縮させることができるようにしてある。更に、上記空気チューブ３内の空気８を排気させて該空気チューブを収縮させた状態にて、上記空気給排用ホース７を上記止水対象配管としての既設配管１０の管壁に設けた治具回収用孔１６より配管外部へ引き出すことで、該空気給排用ホース７に繋がる上記柔軟な材質製としてある空気チューブ３、シール材４、漏斗状部材５及び漏洩水ドレン抜きホース６を、上記治具回収用孔１６を通して配管外部へ一体に引き出すことができるようにしてある。
【００３３】
次に、以上の構成としてある配管止水装置１を用いて、所要のプラントにて活管１７に取り付けられている止水弁１５の下方位置での配管交換工事、たとえば、Ｔ字管の交換工事を行う場合における配管溶接継手部１８に上記止水弁１５より漏洩する漏洩水１９が到達しないように止水を図る場合の手順について説明する。
【００３４】
先ず、図４に示すように、上記活管１７に取り付けられている止水弁１５を閉じた状態で、該止水弁１５の下側に繋がる既設配管１０を上下方向の途中位置で切断し、図４に二点鎖線で示す如き該既設配管１０の下側に接続されていた既設のＴ字管２０を撤去する。
【００３５】
次に、上記止水弁１５の下側に残る既設配管１０の下端部に、新たに交換される配管としてのＴ字管１２の上端部との間に配管溶接継手部１８を形成させるための図示しない開先加工を施すと共に、該既設配管１０の管壁の下部所要個所に、治具回収用孔１６を穿設しておく。
【００３６】
次いで、上記既設配管１０の内側に上記配管止水治具２を搬入し、上記空気チューブ３に接続してある空気給排用ホース７を、上記治具回収用孔１６を通して配管外部へ引き出すように配置して空気給排装置９に接続すると共に、該配管止水治具２の空気チューブ３を、上記既設配管１０の上記治具回収用孔１６よりも所要寸法上方となる位置の内周面に周方向に沿わせて配置する。なお、上記のように配管止水治具２の空気チューブ３を上記既設配管１０の内周面に周方向に沿わせて配置する操作を容易に実施できるようにするために、たとえば、図４に一点鎖線で示す如く、上記既設配管１０の内径よりもわずかに小さい外径を有する平らなリング形状で、且つ周方向の少なくとも１個所に上記空気給排用ホース７を内外方向に通すことができるようにした切り欠き部を備えてなる位置決め具２１の上側に、上記配管止水治具２の空気チューブ３を周方向に沿わせて載置した状態で、該位置決め具２１ごと上記配管止水治具２を上記既設配管１０の下端側から治具回収用孔１６よりも所要寸法上方となる位置へ挿入するようにしてもよい。
【００３７】
上記のようにして既設配管１０の内側における所要高さ位置の内周面に上記配管止水治具２の空気チューブ３を周方向に沿わせて配置した後は、上記空気給排装置９の空気供給バルブ９ａを開操作して、該空気給排装置９より空気給排用ホース７を通して供給する所定圧力の空気８を、上記空気チューブ３に充填し、図５に示すように、該空気チューブ３を膨張させることで、該空気チューブ３の外周部に設けてあるシール材４を、上記膨張してリング形状となる空気チューブ３の外周部と上記既設配管１０の内周面との間で径方向に圧縮して、該シール材４の外側面を、上記既設配管１０の内周面に周方向の全周に亘り密着させる。これにより、上記配管止水治具２の膨張させた空気チューブ３の外周側と、上記既設配管１０の内周面との間が、上記シール材４により周方向の全周に亘り水密シールされるようになる。
【００３８】
なお、上記シール材４の外側面を、上記既設配管１０の内周面に密着させる際、該シール材４の外側面にグリス、ワセリン、シリコンシーラント等の充填材（図示せず）を予め塗布しておくようにすることで、シール材４の外側面と既設配管１０の内周面との間の水密シール性を高めるようにしてもよい。又、上記位置決め具２１は、既設配管１０の内側に上記膨張させた空気チューブ３が位置固定されるようになった時点で撤去するようにすればよい。
【００３９】
以上のようにして配管止水治具２の膨張させた空気チューブ３の外周側と、上記既設配管１０の内周面との間に上記シール材４による水密シールが形成されると、上記既設配管１０の上側に設けてある活管１７に接続された止水弁１５から該既設配管１０内へ漏洩する漏洩水１９は、上記配管止水治具２の外周部と既設配管１０の内面との間を通過できなくなるため、該漏洩水１９は、上記配管止水治具２のシール材４、空気チューブ３の上側を経て漏斗状部材５の上側に導かれ、該漏斗状部材５の開口部５ａへ集められた後、漏洩水ドレン抜きホース６を通して下方へ導かれるようになる。
【００４０】
なお、上記空気チューブ３を膨張させた後は、上記空気給排装置９の形式に応じて、上記膨張させた空気チューブ３の内圧を保持できるようにしてあれば、空気供給バルブ９ａは閉じてもよい。あるいは、上記空気供給バルブ９ａを開いた状態のままとして、上記空気チューブ３に、図示しないレギュレータによって該空気チューブ３の耐圧制限内に調整された空気８の所定圧力を作用させ続けるようにしてもよい。
【００４１】
その後、上記既設配管１０の下側に、新たに交換される配管として、上端部に予め開先加工を施してなるＴ字管１２を配置して、上記既設配管１０の下端部と上記Ｔ字管１２の上端部との間に配管溶接継手部１８を形成させると共に、上記配管止水治具２の上記漏洩水ドレン抜きホース６を、該Ｔ字管１２の内側を通してから、該漏洩水ドレン抜きホース６の下部を、上記Ｔ字管１２の所要個所に設けてある溶接検査用のプラグ孔１３を通して配管外部へ突出させるように配置して、その下端部を、Ｔ字管１２の外部に設けたドレン受け１４に受けさせるようにする。これにより、上記止水弁１５から既設配管１０の内部へ漏洩する漏洩水１９は、上記したように配管止水治具２の漏斗状部材５の上側に受けられた後、漏洩水ドレン抜きホース６を通して、すべて上記ドレン受け１４へ送られるようになる。したがって、上記既設配管１０と新たに交換された上記Ｔ字管１２との配管溶接継手部１８に、上記止水弁１５からの漏洩水１９が達する虞は未然に防止されるようになる。
【００４２】
この状態で、上記配管溶接継手部１８の溶接作業を行うことで、該配管溶接継手部１８を、水が存在しない状態で溶接することができて、上記既設配管１０の下端部と上記Ｔ字管１２の上端部が健全に溶接されるようになる。
【００４３】
上記のようにして配管溶接継手部１８の溶接作業が終了した後は、上記空気給排装置９における空気供給バルブ９ａが開いたままとしてある場合は、該空気供給バルブ９ａを予め閉じてから、空気給排装置９の排気バルブ９ｃを開くと、上記配管止水治具２の空気チューブ３に充填されていた所定圧力の空気８が、空気給排用ホース７と空気給排装置９の排気バルブ９ｃを通して外気に放出されるようになるため、該空気チューブ３が収縮するようになる。更に、上記空気チューブ３の内部空間が、上記空気給排用ホース７と空気給排装置９の排気バルブ９ｃを介して大気に連通された状態となるため、該空気チューブ３が外力に応じて自在に収縮して変形できるようになる。
【００４４】
したがって、その後、上記空気給排用ホース７を、治具回収用孔１６より引き出すと共に、該空気給排用ホース７に接続されている上記空気チューブ３とシール材４と漏斗状部材５と漏洩水ドレン抜きホース６とを、上記治具回収用孔１６より配管外部へ引き出すようにする。これにより、上記既設配管１０の内部より上記配管止水治具２が回収されるようになる。
【００４５】
上記のようにして配管止水治具２を回収した後は、上記配管溶接継手部１８の溶接状態を適宜確認した後、上記既設配管１０の管壁に設けた治具回収用孔１６と、上記Ｔ字管１２の所要個所に設けた溶接検査用プラグ孔１３を、それぞれ外側から図示しないプラグや蓋部材で水密に閉塞させることで、上記Ｔ字管１２の配管交換作業を終了する。
【００４６】
このように、本発明の配管止水装置及び該配管止水装置を用いた配管止水方法によれば、活管１７に取り付けられた止水弁１５の下側で配管の交換工事を行う場合に、配管溶接継手部１８の上側に位置する既設配管１０の内側に上記配管止水治具２を装着することで、上記止水弁１５の漏洩水１９が配管溶接継手部１８に達する虞を未然に防止できて、上記配管溶接継手部１８の健全な溶接を行わせることができる。又、上記既設配管１０の内側所要個所に上記配管溶接治具２を装着するために該既設配管１０に対して行う加工は、治具回収用孔１６を穿設するのみでよいため、該配管止水治具２の装着に要する手間及び時間が嵩む虞を解消できる。
【００４７】
更に、上記活管１７に接続された止水弁１５の下方での配管溶接継手部１８の溶接作業が終了した後は、上記空気チューブ３に充填されていた空気８を排気させた状態で、上記既設配管１０に設けてある治具回収用孔１６より空気給排用ホース７を引き出して、該空気給排用ホース７に繋がっている空気チューブ３、シール材４、漏斗状部材５、漏洩水ドレン抜きホース６を上記治具回収用孔１６より引き出すという作業のみで、上記既設配管１０及びＴ字管１２の内部より配管止水治具２を容易に撤去することができる。よって、上記配管止水治具２の取り付け及び回収を短時間で行うことができて、配管交換工事の工程にインパクト（大きな影響）を与える虞を解消できる。
【００４８】
更には、従来の配管凍結工法と異なり、上記配管止水治具２の取り付けによる止水弁１５の漏洩水１９の止水はすべて常温で行うことができるため、ＳＵＳ材の配管のみならず炭素鋼管等、いかなる材質の配管の止水にも適用することができる。
【００４９】
しかも、上記配管止水治具２は、柔軟な空気チューブ３と、柔軟なシール材４と、柔軟な漏斗状部材５と、漏洩水ドレン抜きホース６と、空気給排用ホース７とからなるコンパクトな構成としてあると共に、金属を使用する部分は、上記空気チューブ３の空気給排ノズル３ａと上記空気給排用ホース７との接続部分程度に限定することができ、更には、上記いずれの部材３，４，５，６，７にも特殊な材質を用いる必要がないため、該配管止水治具２を安価なものとすることができる。したがって、原子力発電所における放射線管理区域で使用するための使い捨て用の配管止水治具２とする場合に有利なものとすることができる。
【００５０】
なお、本発明は、上記実施の形態にのみ限定されるものではなく、配管止水治具２の空気チューブ３の外周部に設けるシール材４の外側面に、周方向の全周に亘る断面形状波型の凸部４ａを軸心方向に所要間隔で複数設けるものとして示したが、上記シール材４の外側面に設ける凸部４ａは、軸心方向に所要間隔で複数配列されるようにしてあれば、その断面形状を、矩形や三角形や台形等としてもよい。又、上記シール材４の外側面に設ける凸部４ａの軸心方向の配列数も、上記空気チューブ３の太さ寸法等に応じて適宜変更してもよい。更に、配管止水治具２の空気チューブ３の外周部に設けるシール材４の外側面と、既設配管１０の内周面との間のシール性を高めるという観点からすると、上記シール材４の外側面には、周方向の全周に亘って延びる凸部４ａを該シール材４の軸心方向に所要間隔で複数設けることが望ましいが、上記シール材４の外側面をフラットな形状としてもよい。
【００５１】
又、既設配管１０の内側に上記配管止水治具２を装着する際には、上記既設配管１０の内周面と配管止水治具２のシール材４の外側面との間の水密シール性をより高めるという観点からすると、上記シール材４の外側面に、予めグリス、ワセリン、シリコンシーラント等の充填材を塗布しておくことが好ましいが、該充填材の塗布は省略してもよい。
【００５２】
上記空気チューブ３、シール材４、漏斗状部材５、漏洩水ドレン抜きホース６はいずれもゴム製として示したが、上記空気チューブ３は、空気８を充填して膨張させることで上記止水対象配管としての既設配管１０の内周面に周方向に沿うリング形状を保持できると共に、空気充填時に形成されるリング形状の外周部と、上記既設配管１０の内周面との間でシール材４を径方向に圧縮して、該シール材４の外側面を上記既設配管１０の内周面に水密シールが形成されるように密着させる機能を発揮できるようにしてあれば、ゴム以外の柔軟な材質製のものとしてもよい。又、上記シール材４、漏斗状部材５は、上記空気チューブ３の所定個所に対して水密に接合でき、又、漏洩水ドレン抜きホース６は、上記漏斗状部材５の下端の開口部５ａに水密に接合でき、且つ既設配管１０に設ける治具回収用孔１６を通して上記空気チューブ３と一体にシール材４、漏斗状部材５、漏洩水ドレン抜きホース６を引き出すことができるようにしてあれば、上記シール材４、漏斗状部材５、漏洩水ドレン抜きホース６は、ゴム以外の柔軟な材質製のものとしてもよい。
【００５３】
上記空気チューブ３とシール材４、空気チューブ３と漏斗状部材５、漏斗状部材５と漏洩水ドレン抜きホース６のそれぞれの取り付けは、該各部材３と４，３と５，５と６同士を水密に且つ一体物となるように取り付けることができれば、接着やその他、該各部材３，４，５，６の材質に応じた任意の方法で行うようにしてよい。
【００５４】
上記配管止水治具２の空気チューブ３を膨張させるために該空気チューブ３に充填する流体として空気８を例示したが、その他の任意の流体を用いるようにしてもよい。
【００５５】
その他本発明の要旨を逸脱しない範囲内で種々変更を加え得ることは勿論である。
【図面の簡単な説明】
【００５６】
【図１】本発明の配管止水方法及び装置の実施の一形態を示すもので、（イ）は平面図、（ロ）は空気チューブに空気を充填していない状態を示す概略切断側面図、（ハ）は空気チューブに空気を充填して膨張させた状態を示す概略切断側面図である。
【図２】図１の装置の配管止水治具における空気チューブの外周部に設けたシール部材の部分を拡大して示す切断側面図である。
【図３】図１の装置の配管止水治具を板巻管の内側に装着した場合における該板巻管のビードの部分を拡大して示す平面図である。
【図４】図１の装置を用いて活管に取り付けられている止水弁の下方位置での配管交換工事を行うために止水弁からの漏洩水を止水する手順を示すもので、止水弁の下側の既設配管内に配管止水治具を搬入した状態を示す概略切断側面図である。
【図５】図１の装置を用いて活管に取り付けられている止水弁の下方位置での配管交換工事を行う場合に止水弁からの漏洩水を止水する手順を示すもので、既設配管内で配管止水治具の空気チューブを膨張させて配管溶接継手部の上方に配管止水治具を装着した状態を示す概略切断側面図である。
【符号の説明】
【００５７】
１  配管止水装置
２  配管止水治具
３  空気チューブ（チューブ部材）
４  シール材
４ａ  凸部
５  漏斗状部材
５ａ  開口部
６  漏洩水ドレン抜きホース
７  空気給排用ホース（流体給排用ホース）
８  空気（流体）
９  空気給排装置（流体給排装置）
１０  既設配管（止水対象配管）
１２  Ｔ字管（配管）
１５  止水弁
１６  治具回収用孔
１７  活管
１８  配管溶接継手部
【図１】
2010007730.tif 000003
【図２】
2010007730.tif 000004
【図３】
2010007730.tif 000005
【図４】
2010007730.tif 000006
【図５】
2010007730.tif 000007
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
下端の開口部に柔軟な漏洩水ドレン抜きホースの上端開口部を連通させて取り付けてなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにし、シールして所定の作業終了後、チューブ部材内の流体を排出させてから、上記止水対象配管に設けてある治具回収用孔より上記流体給排用ホースと、該流体給排用ホースに繋がっているチューブ部材、シール材、漏斗状部材、漏洩水ドレン抜きホースを引き出して、該チューブ部材、シール材、漏斗状部材、漏洩水ドレン抜きホースを止水対象配管内より撤去するようにすることを特徴とする配管止水方法。
【請求項２】
膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する柔軟な漏洩水ドレン抜きホースの上端開口部を連通させて取り付け、上記チューブ部材の所要個所に、上記止水対象配管の管壁に設けた治具回収用孔を通して配置した流体給排用ホースを接続して配管止水治具を形成し、更に、上記配管止水治具の流体給排用ホースに接続して上記チューブ部材への流体の充填と排出を行うための流体給排装置を備えて、該流体給排装置より流体給排用ホースを通して供給する流体を止水対象配管の内側に配置した配管止水治具のチューブ部材に充填することで、膨張させたチューブ部材の外周部と上記止水対象配管の内周面との間で径方向に圧縮される上記シール材の外側面を、上記止水対象配管の内周面に密着させて、上記チューブ部材の外周側と止水対象配管の内周面との間を水密にシールできるようにしてなると共に、上記チューブ部材に充填されていた流体を排出させた状態で上記止水対象配管に設けてある治具回収用孔より上記流体給排用ホースと、該流体給排用ホースに繋がっているチューブ部材、シール材、漏斗状部材、漏洩水ドレン抜きホースを引き出す作業のみで、該止水対象配管内より上記配管止水治具を撤去できるようにしてなる構成を有することを特徴とする配管止水装置。
【請求項３】
リング形状のチューブ部材と、該チューブ部材の外周部に取り付けた柔軟なシール材と、上記チューブ部材の内側に取り付けた柔軟な漏斗状部材と、該漏斗状部材の下端の開口部に上端開口部を連通させて取り付けた柔軟な漏洩水ドレン抜きホースと、止水対象配管の管壁に設けた治具回収用孔を通し配置して上記チューブ部材に接続した流体給排用ホースからなる配管止水治具の上記チューブ部材の外周部に設けるシール材を、独立気泡型の柔軟な多孔質ゴムとした請求項２記載の配管止水装置。
【請求項４】
リング形状のチューブ部材と、該チューブ部材の外周部に取り付けた柔軟なシール材と、上記チューブ部材の内側に取り付けた柔軟な漏斗状部材と、該漏斗状部材の下端の開口部に上端開口部を連通させて取り付けた柔軟な漏洩水ドレン抜きホースと、止水対象配管の管壁に設けた治具回収用孔を通し配置して上記チューブ部材に接続した流体給排用ホースからなる配管止水治具の上記チューブ部材の外周部に設けるシール材の外側面に、周方向の全周に亘る凸部を、軸心方向に所要間隔で複数配列して設けるようにした請求項２又は３記載の配管止水装置。
【手続補正２】
【補正対象書類名】明細書
【補正対象項目名】００１５
【補正方法】変更
【補正の内容】
【００１５】
本発明は、上記課題を解決するために、請求項１に対応して、下端の開口部に柔軟な漏洩水ドレン抜きホースの上端開口部を連通させて取り付けてなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにし、シールして所定の作業終了後、チューブ部材内の流体を排出させてから、上記止水対象配管に設けてある治具回収用孔より上記流体給排用ホースと、該流体給排用ホースに繋がっているチューブ部材、シール材、漏斗状部材、漏洩水ドレン抜きホースを引き出して、該チューブ部材、シール材、漏斗状部材、漏洩水ドレン抜きホースを止水対象配管内より撤去するようにする配管止水方法とする。
【手続補正３】
【補正対象書類名】明細書
【補正対象項目名】００１６
【補正方法】変更
【補正の内容】
【００１６】
又、請求項２に対応して、膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する柔軟な漏洩水ドレン抜きホースの上端開口部を連通させて取り付け、上記チューブ部材の所要個所に、上記止水対象配管の管壁に設けた治具回収用孔を通して配置した流体給排用ホースを接続して配管止水治具を形成し、更に、上記配管止水治具の流体給排用ホースに接続して上記チューブ部材への流体の充填と排出を行うための流体給排装置を備えて、該流体給排装置より流体給排用ホースを通して供給する流体を止水対象配管の内側に配置した配管止水治具のチューブ部材に充填することで、膨張させたチューブ部材の外周部と上記止水対象配管の内周面との間で径方向に圧縮される上記シール材の外側面を、上記止水対象配管の内周面に密着させて、上記チューブ部材の外周側と止水対象配管の内周面との間を水密にシールできるようにしてなると共に、上記チューブ部材に充填されていた流体を排出させた状態で上記止水対象配管に設けてある治具回収用孔より上記流体給排用ホースと、該流体給排用ホースに繋がっているチューブ部材、シール材、漏斗状部材、漏洩水ドレン抜きホースを引き出す作業のみで、該止水対象配管内より上記配管止水治具を撤去できるようにしてなる構成を有する配管止水装置とする。
【手続補正４】
【補正対象書類名】明細書
【補正対象項目名】００１９
【補正方法】変更
【補正の内容】
【００１９】
本発明によれば、以下のような優れた効果を発揮する。
（１）下端の開口部に柔軟な漏洩水ドレン抜きホースの上端開口部を連通させて取り付けてなる柔軟な漏斗状部材を内周側に取り付けると共に、外周側に柔軟なシール材を全周に亘り取り付けてなるチューブ部材を、止水対象配管の内側に配置して、該止水対象配管の管壁に設けた治具回収用孔に挿通させて配置した流体給排用ホースを通して配管外部の流体給排用装置より供給する流体により上記チューブ部材を膨張させ、該膨張させたチューブ部材の外周部と上記止水対象配管の内周面との間で径方向に圧縮される上記シール材の外側面を、上記止水対象配管の内周面に密着させることで、上記チューブ部材の外周側と止水対象配管の内周面との間を水密にシールさせるようにし、シールして所定の作業終了後、チューブ部材内の流体を排出させてから、上記止水対象配管に設けてある治具回収用孔より上記流体給排用ホースと、該流体給排用ホースに繋がっているチューブ部材、シール材、漏斗状部材、漏洩水ドレン抜きホースを引き出して、該チューブ部材、シール材、漏斗状部材、漏洩水ドレン抜きホースを止水対象配管内より撤去するようにする配管止水方法、及び、膨張時に止水対象配管の内径に対応した外径寸法となるようにしてあるリング形状のチューブ部材の外周部に、柔軟なシール材を全周に亘り取り付け、且つ上記チューブ部材の内側に、柔軟な材質性の漏斗状部材の外周部を水密に取り付けると共に、該漏斗状部材の下端の開口部に所要の長さ寸法を有する柔軟な漏洩水ドレン抜きホースの上端開口部を連通させて取り付け、上記チューブ部材の所要個所に、上記止水対象配管の管壁に設けた治具回収用孔を通して配置した流体給排用ホースを接続して配管止水治具を形成し、更に、上記配管止水治具の流体給排用ホースに接続して上記チューブ部材への流体の充填と排出を行うための流体給排装置を備えて、該流体給排装置より流体給排用ホースを通して供給する流体を止水対象配管の内側に配置した配管止水治具のチューブ部材に充填することで、膨張させたチューブ部材の外周部と上記止水対象配管の内周面との間で径方向に圧縮される上記シール材の外側面を、上記止水対象配管の内周面に密着させて、上記チューブ部材の外周側と止水対象配管の内周面との間を水密にシールできるようにしてなると共に、上記チューブ部材に充填されていた流体を排出させた状態で上記止水対象配管に設けてある治具回収用孔より上記流体給排用ホースと、該流体給排用ホースに繋がっているチューブ部材、シール材、漏斗状部材、漏洩水ドレン抜きホースを引き出す作業のみで、該止水対象配管内より上記配管止水治具を撤去できるようにしてなる構成を有する配管止水装置としてあるので、活管に取り付けられた止水弁の下方で配管の交換工事を行う場合に、上記止水弁の下側に接続された止水対象配管の内側に配置した配管止水治具のチューブ部材を膨張させて、該配管止水治具を上記止水対象配管の内側に装着することで、上記止水弁の漏洩水が止水対象配管と、その下側に接続する配管との配管溶接継手部に達する虞を未然に防止できるため、上記配管溶接継手部の健全な溶接を行わせることが可能となる。
（２）上記止水対象配管に配管止水治具を装着するために該止水対象配管に対して行う加工は、治具回収用孔を穿設するのみでよいため、上記配管止水治具の装着に要する手間及び時間が嵩む虞を解消できる。更に、上記配管溶接継手部の溶接作業終了後は、上記チューブ部材に充填されている流体を排出させてから、上記止水対象配管の治具回収用孔より流体給排用ホースを引き出して、該流体給排用ホースに繋がるチューブ部材、シール材、漏斗状部材、漏洩水ドレン抜きホースを上記治具回収用孔より配管外部へ引き出す作業のみで、上記止水対象配管の内部より配管止水治具を容易に撤去することができるようにしてあることから、上記配管止水治具の取り付け及び回収を短時間で行うことができて、配管交換工事の工程にインパクトを与える虞を解消できる。
（３）上記止水対象配管に対する配管止水治具の装着は常温で行うことができるため、ＳＵＳ材の配管、炭素鋼管等、いかなる材質の配管の止水にも適用することができる。
（４）配管止水治具をコンパクトな構成とすることができると共に、安価なものとすることができる。よって、上記配管止水治具を、原子力発電所における放射線管理区域で使用するための使い捨て用の配管止水治具とする場合に有利なものとすることができる。
（５）リング形状のチューブ部材と、該チューブ部材の外周部に取り付けた柔軟なシール材と、上記チューブ部材の内側に取り付けた柔軟な漏斗状部材と、該漏斗状部材の下端の開口部に上端開口部を連通させて取り付けた柔軟な漏洩水ドレン抜きホースと、止水対象配管の管壁に設けた治具回収用孔を通し配置して上記チューブ部材に接続した流体給排用ホースからなる配管止水治具の上記チューブ部材の外周部に設けるシール材を、独立気泡型の柔軟な多孔質ゴムとした構成とすることにより、止水対象配管の内側でチューブ部材を膨張させることで、上記チューブ部材の外周部と止水対象配管の内周面との間で径方向に圧縮される上記シール材の外側面を、上記止水対象配管の内周面の形状に容易に追従させて密着させることができる。よって、上記配管止水治具の外周側と止水対象配管の内周面との間の止水性を容易に高めることが可能となる。
（６）リング形状のチューブ部材と、該チューブ部材の外周部に取り付けた柔軟なシール材と、上記チューブ部材の内側に取り付けた柔軟な漏斗状部材と、該漏斗状部材の下端の開口部に上端開口部を連通させて取り付けた柔軟な漏洩水ドレン抜きホースと、止水対象配管の管壁に設けた治具回収用孔を通し配置して上記チューブ部材に接続した流体給排用ホースからなる配管止水治具の上記チューブ部材の外周部に設けるシール材の外側面に、周方向の全周に亘る凸部を、軸心方向に所要間隔で複数配列して設けるようにした構成とすることにより、止水対象配管の内側でチューブ部材を膨張させて、上記チューブ部材の外周部と止水対象配管の内周面との間で上記シール材を径方向に圧縮させることで、該シール材の外側面に設けてある複数の凸部の頂部を、上記止水対象配管の内周面にそれぞれ周方向に密着させることができる。これにより、上記シール材の外側面と止水対象配管の内周面との間に、軸心方向に所要寸法ずつずれた複数の水密シールを形成することができるようになるため、配管止水治具の外周側と止水対象配管の内周面との間の止水性をより確実なものとすることができる。